(57)【要約】      （修正有）【課題】家庭用ミストサウナを速やかに保温し、室内で移動させることが容易でないなどの家庭で使用する場合のミストサウナの普及の障害となる原因を除き、狭い廊下の曲がり角やわずかな段差を超えて移動させることを可能にする。【解決手段】家庭用ミストサウナ装置において、ボックス本体１の機械装置室３に蒸気発生器とボックス１内に水蒸気出口とを設けて、前記の機械装置室３に設けたボイラーと床面と脹脛の後ろ座前面と座面と背面に前記ボイラーから温湯をボックス内に循環させる配管１４を備えて、底板４と脹脛後の座前面板５と座板６と背面板７を備え、それぞれの内面に足元床面の岩盤板８と座前面に岩盤板９と座板に貼られた岩盤板を貼り付けて、背面の岩盤板１１の両側にはセラミックプレートを貼ってマイナスイオンを発生させると岩盤板の照射する遠赤外線のリラックス効果をいっそう増加させる作用がある。 【選択図】図１
0003129476.tif 000002
【実用新案登録請求の範囲】
【請求項１】
内部に床面と座面と背面を備えたボックス本体に機械装置室を設け、この機械装置室に蒸気発生器とボックス内に水蒸気出口とを設けて、前記の機械装置室に設けたボイラーと床面と脹脛の後ろ前面と座面と背面にボイラーから温湯をボックス内に循環させる配管を備えてなるミストサウナ装置において、ボックス本体の前面に設ける扉は前面にふくらみを設けてあり、ボックスの背面を後方へ傾斜させてあることを特徴とする家庭用ミストサウナ。
【請求項２】
機械装置室に設けた水蒸気発生器から水蒸気出口は扉の前面に設けたふくらみの内曲面に向かってボックス内の片方に寄せて座面の前面に設けられているものであって座面の前面に前記水蒸気出口から出る熱水蒸気の遮蔽板を設けたことを特徴とする請求項１に記載の家庭用ミストサウナ。
【請求項３】
ボックス内に設けた機械室の前部と背面板の後方に断熱空気室を設けてある請求項１に記載の家庭用ミストサウナ。
【考案の詳細な説明】
【技術分野】
【０００１】
本考案は、家庭用ミストサウナの内部保温効果が高く、家庭内での移動が容易な一人用ミストサウなに関するものである。
【背景技術】
【０００２】
遠赤外線を放射することができる花崗岩(学名ホルンヘルスＨｏｒｕｎ  ｈｅｒｕｓｕ）は、遠赤外線の放射効用のために遠赤外線によりリラックスできる利点があるので、サウナ装置の中で岩盤浴として実用に共されている。
実用の岩盤浴は、ホルンヘルスを切断加工して板状にしたもの（以下岩盤板という。）を敷き詰めてその上に人が横になって発汗してリラックス効果を得る。足腰が痛いために寝起きすることが不自由な老人のために、老人が腰掛けられる台の上に敷き詰めた岩盤板の上に腰掛けて利用される場合も前記遠赤外線の効果を得る。
岩盤板の遠赤外線により得られるリラックス効果は、水蒸気発生器により、水を加熱蒸発させてその蒸気の熱で室内を暖めたり、適度の湿気による快適な湿度を保つことにり一層のリラックス効果を得る。水蒸気発生器の水の中に香気を生じる植物を乾燥した物を入れると水蒸気に香気が混ざってさらに相乗的にその香気によるリラックス効果を得る。セラミックプレートは、マイナスイオンを発生させることが知られている。セラミックが発生するマイナスイオンは、岩盤浴により照射する遠赤外線のリラックス作用を増加させ得る。家庭用サウナとしての場合は特許文献１〜７のごとく知られているのみである。家庭の入浴施設をサウナとして利用する装置については特許文献２、４、６、７があるが、一般家庭に入れられて使用するミストサウナというより、家庭の入浴設備を利用するまでのことである。家庭用ミストサウナはいまだ一般家庭に広く普及されるまでにはいたってはいないのが現状である。
【０００３】
しかし、家庭で使用されるミストサウナは、大きさ、移動性、保温の熱効率などの面でサウナ本体の大きさが大きく、保温性が余り良くなく更に設置式のものは設置場所の移動ができないという欠点があった。
【０００４】
家庭内で普及型のミストサウナを使用する用途において、この欠点は保温、設置、場所の移動に関して一般家庭に普及するためには大きな障害となっている。具体的には、家庭用の電力ではボックス内の保温時間が長くなったり、保温のむらが生じたり、あるいは、廊下の曲りによってサウナ装置の移動が出来にくかったり、一端設置するとそれは重量がありその場所を移動できずらいなどの問題があった。
【０００５】
この改善策として、この欠点を改良して、樽を利用して内部に人が腰掛ける座を設けて前面に開閉する扉を設けた据え置き式のボイラーで保温するサウナ装置が開発されているが、直立型となるので廊下を移動させるには不便である。樽型サウナ装置は、樽を据え置き式にせざるを得ないとか、人が中に入って座面に座した姿勢も窮屈になるなどの理由により、家庭内での実用化は難しくなる。
【特許文献１】特開２００５−０９５４５８号公報
【特許文献２】特開２００３−０１９１８１号公報
【特許文献３】特開２００２−２０４８２１号公報
【特許文献４】特開２００１−１７８７９３号公報
【特許文献５】特開２０００−０７９１５３号公報
【特許文献６】特開２０００−０３３１０８号公報
【特許文献７】特開平１０−２１６０３６号公報
【考案の開示】
【考案が解決しようとする課題】
【０００６】
解決しようとする問題点は、家庭用ミストサウナを速やかに保温し、室内で移動させることが容易でないなどの家庭用のミストサウナの普及の障害となる原因、早い保温の問題やサウナ装置を狭い廊下の曲がり角やわずかな段差を超えて移動させることができない点である。
【課題を解決するための手段】
【０００７】
本考案は、蒸気発生器とボイラーと遠赤外線を照射する岩盤板とマイナスイオンを発生するセラミックプレートを備えているミストサウナであって遠赤外線によるリラックス効果を得るための一人で使用できる家庭用ミストサウナにおいて、ボックスの保温性を高めて速やかに保温するために、断熱空気室を設けてボックス内の保温性を高め、扉の形状に曲面を設けて水蒸気の流れを作り、ボックスを後方にわずかに傾斜させて廊下の曲がり角を回転させやすく、段差を越えやすくするためにボックスをやや後方に傾斜させてあることを最も主要な特徴とする。
【考案の効果】
【０００８】
本考案のミストサウナは、扉に前面に凸形状にふくらみを持たせて作られている扉の内側の曲面に沿って水蒸気発生器から発生する水蒸気が当たり、足元に水蒸気が拡散して、早く室内をすみずみまで保温し、湿度が高められるような構造にすることにより、内部の温度を逃がすことなく、熱の消費を少なくして消費電力を少なくする。即ち、機械設置室に設けた水蒸気発生器から足元に水蒸気出口を設け、その出口から水蒸気が出て、それが扉の曲面にぶつかると暖まった水蒸気は足元へ流れて床面上に拡散して早く足元を保温することを可能にすることができる。機械装置室に設けたボイラーから足元床面、ふくらはぎの後ろ前面、座面、背面に配管して温湯を循環させる。ボックス内には断熱空気室を設けたので暖房したボックス内の暖かい空気を保持しやすい。ボックスの全体に早く保温して、温まった空気の冷却を防止することができると共に廊下の移動が容易にできるいう利点がある。
【考案を実施するための最良の形態】
【０００９】
ボックスの座面、背面に近い機械装置室に設置した水蒸気発生器およびボイラーを設けてボックス内の空気を早く効果的に温度を上げて、保温を持続し、加湿をするという目的を、サウナ装置のボックスの保温性並びに移動容易性を損なわずに実現した。
【実施例１】
【００１０】
図１は、本考案装置の１実施例の断面図であって、図２は同実施例の前面の扉を開いた状態を示す正面図である。１は、  家庭用ミストサウナのボックス本体、  ２は、    そのボックスの前面に設け、凸形状にふくらみを持たせて作られている開閉式の扉、  ３は、  蒸気発生器並びにボイラーを設置するための機械装置室、  ４は、    底板、  ５は、    脹脛後の座前面板、６は、  座板、７は、    背面板、８は、    足元床面の岩盤板、９は、    脹脛後の座前面に貼られた岩盤板、１０は、    座面の岩盤板、１１は、    背面の岩盤板、１２は、    熱水蒸気の遮蔽板、１３は、    肘掛、１４は、  ボイラーから温湯で室内を保温するための配管、１５は、    断熱空気室、１６は、    水蒸気出口である。大凡、底板と座前面板と座板と背面板の上に温湯を循環させるホースを配管して、その上に、ホルンヘルスを薄く切って加工した岩盤板を床、脹脛の裏、座、背のそれぞれにモルタルで貼り付けた構造である。更に具体的に構造について詳細に説明する。
【００１１】
家庭用ミストサウナ装置において、内部に床面と座面と背面を備えたボックス本体１内に機械装置室３を設け、機械装置室３に蒸気発生器とボックス１内に水蒸気出口１６とを設けて蒸気発生器の水蒸気を扉２の内曲面に当て周囲に拡散させる。前記の機械装置室３に設けたボイラーと床面と脹脛の後ろ座前面と座面と背面に前記ボイラーから温湯をボックス内に循環させる配管１４を備えて配管を通過する温湯の熱でボックス内の空気を保温することになる。
【００１２】
ミストサウナ装置のボックス１本体の特徴は、底板４と脹脛後の座前面板５と座板６と背面板７を備え、それぞれの内面に足元床面の岩盤板８と座前面に岩盤板９と座板に岩盤板１９を貼り付けてある。背面の岩盤板１１の両側にはセラミックプレート１７を貼ってあり、そこからマイナスイオンを発生させると岩盤板の照射する遠赤外線のリラックス効果をいっそう増加させる作用がある。
【００１３】
ボックス本体１と本体の前面に設ける扉２の間は、サウナに入った人の頭部を外に出してボックスの中の座に腰掛けることができる。ボックス１の前面に開閉するべく蝶番で連結された扉１を備え、その扉前面に凸形状にふくらみを設けてあり、この曲面はボックス内部の上方を狭くし、水蒸気出口１６から出る蒸気を扉の内曲面に当てて足元へ拡散させる効果があるほか、蒸気や配管１４の温湯の熱を扉の内曲面に沿うように上半身へ伝導することができるのでボックス内空気を早く上昇させて保温した空気の流れを上半身へ導いてボックス内部の保温性を高める効果がある。
【００１４】
ボックス本体１は、ボックスの背面を後方へやや傾斜させてある。この傾斜はボックスを梃子として利用して、本体の移動を容易にするためである。即ち底板の下部には四方にキャスターを配置して設けてあり、回転や持ち上げて移動を可能にし、その後方のキャスターを支点にしてボックス前方を持ち上げ易くした事で、前方に設けたキャスターを浮き上がらせて凸部を容易に越えることができるようにした。
【００１５】
ボックス１の背面に機械装置室３の観音開きの扉を設け、座板６の下部に水蒸気発生器やボイラーを設置するための機械装置室３を設けた。水蒸気発生器からの水蒸気の出口１６は座面の前面に設けられているものであって、水蒸気出口１６からボックス内へ出た水蒸気は前面扉１の内曲面に向かって四方に拡散しながらボックス内を湿潤に保ち、足元周辺を保温するようにしてある。ボックス内の片方に寄せて座面の前面に、前記水蒸気出口１６から出る熱水蒸気を直接人体に晒せないように熱水蒸気の遮蔽板１２を縦に設けてある。
【００１６】
ボックス内に設けた機械装置室３の前部と背面板７の後方に断熱空気室１５を設けてあり、その断熱作用によってボックス内の熱が外部へ放出されない効果がある。
【００１７】
ボックス内部には両側に肘掛１３を設けてある。
【産業上の利用可能性】
【００１８】
本考案は家庭用のミストサウナとして開発されるものであるが営業用の個人サウナとしての用途にも適用できる。
【図面の簡単な説明】
【００１９】
【図１】家庭用ミストサウナの実施方法を示した縦断面図である。（実施例１）
【図２】家庭用ミストサウナの扉を開いた実施方法を示した正面図である。（実施例１）
【符号の説明】
【００２０】
１    ボックス本体
２    扉
３    機械装置室
４    底板
５    脹脛後の座前面板
６    座板
７    背面板
８    足元床面の岩盤板
９    脹脛の後面の岩盤板
１０    座面の岩盤板
１１    背面の岩盤板
１２    熱水蒸気の遮蔽板
１３    肘掛
１４    温湯の配管
１５    断熱空気室
１６    水蒸気出口
１７    セラミックプレート
【図１】
0003129476.tif 000003
【図２】
0003129476.tif 000004
【手続補正書】
【提出日】平成18年12月6日(2006.12.6)
【手続補正１】
【補正対象書類名】図面
【補正対象項目名】図２
【補正方法】変更
【補正の内容】
【図２】
0003129476.tif 000005